【手続補正書】
【提出日】平成24年6月1日(2012.6.1)
【手続補正１】
【補正対象書類名】特許請求の範囲
【補正対象項目名】全文
【補正方法】変更
【補正の内容】
【特許請求の範囲】
【請求項１】
カルボキシル基を有しない式量７０〜１２０のエチレン性不飽和モノマー（ａ）１０〜７５重量％、エポキシ基含有エチレン性不飽和モノマー（ｃ）２０〜８０重量％を含むエチレン性不飽和モノマー（Ｍ’）をラジカル重合してなる共重合体（Ｉ’）中のエポキシ基１モルに対し、
カルボキシル基含有エチレン性不飽和モノマー（ｂ）中のカルボキシル基を０．２〜１モル反応させて水酸基含有樹脂（ＩＩ’）を生成し、
得られた水酸基含有樹脂（ＩＩ’）中の水酸基１モルに対し、多塩基酸無水物（ｄ）中の酸無水物基を０．２〜１モル反応させてなる感光性樹脂を含有する感光性組成物であって、さらに、エチレン性不飽和モノマー（Ｍ’） が、下記一般式［２］で表されるモノマーであることを特徴とする感光性組成物。
一般式［２］
ＣＨ2＝ＣＲ2−ＣＯＯ−（ＣＨ2ＣＨ2Ｏ）m−Ｒ3
（式中、Ｒ2は水素原子もしくはメチル基であり、Ｒ3は水素原子、炭素数１〜８の直鎖状もしくは分岐状のアルキル基、脂環族炭化水素基、または芳香族炭化水素基であり、ｍは１〜１０の整数である。）
【請求項２】
カルボキシル基を有しない式量７０〜１２０のエチレン性不飽和モノマー（ａ）１０〜９０重量％、カルボキシル基含有エチレン性不飽和モノマー（ｂ）１０〜７０重量％を含むエチレン性不飽和モノマー（Ｍ）をラジカル重合してなる共重合体（Ｉ）中のカルボキシル基１モルに対し、
エポキシ基含有エチレン性不飽和モノマー（ｃ）中のエポキシ基を０．２〜０．９モル反応させてなる感光性樹脂を含有する感光性組成物。
【請求項３】
カルボキシル基を有しない式量７０〜１２０のエチレン性不飽和モノマー（ａ）１０〜９０重量％、カルボキシル基含有エチレン性不飽和モノマー（ｂ）１０〜７０重量％を含むエチレン性不飽和モノマー（Ｍ）をラジカル重合してなる共重合体（Ｉ）中のカルボキシル基１モルに対し、
エポキシ基含有エチレン性不飽和モノマー（ｃ）中のエポキシ基を０．２〜１モル反応させて水酸基含有樹脂（ＩＩ）を生成し、
得られた水酸基含有樹脂（ＩＩ）中の水酸基１モルに対し、多塩基酸無水物（ｄ）中の酸無水物基を０．２〜１モル反応させてなる感光性樹脂を含有する感光性組成物。
【請求項４】
カルボキシル基を有しない式量７０〜１２０のエチレン性不飽和モノマー（ａ）が、メチル（メタ）アクリレート、エチル（メタ）アクリレート、スチレン、および無水マレイン酸からなる群より選ばれる少なくとも１種のモノマーである請求項１〜３いずれか記載の感光性組成物。
【請求項５】
エポキシ基含有エチレン性不飽和モノマー（ｃ）が、下記一般式［１］で表されるモノマーである請求項１〜４いずれか記載の感光性組成物。
一般式［１］
【化１】
2011033951.tif 000001
（式中、Ｒ１は水素原子もしくはメチル基であり、ｎは０または１の整数である。）
【請求項６】
エチレン性不飽和モノマー（Ｍ）またはエチレン性不飽和モノマー（Ｍ’）が、下記一般式［２］で表されるモノマーを含む請求項２〜５いずれか記載の感光性組成物。
一般式［２］
ＣＨ2＝ＣＲ2−ＣＯＯ−（ＣＨ2ＣＨ2Ｏ）m−Ｒ3
（式中、Ｒ2は水素原子もしくはメチル基であり、Ｒ3は水素原子、炭素数１〜８の直鎖状もしくは分岐状のアルキル基、脂環族炭化水素基、または芳香族炭化水素基であり、ｍは１〜１０の整数である。）
【請求項７】
感光性樹脂の重量平均分子量が、２０００〜２００００である請求項１〜６いずれか記載の感光性組成物。
【請求項８】
感光性樹脂の酸価が、２０〜２００ｍｇＫＯＨ／ｇである請求項１〜７いずれか記載の感光性組成物。
【請求項９】
感光性樹脂の二重結合当量が、３００〜１０００である請求項１〜８いずれか記載の感光性組成物。
【請求項１０】
請求項１〜９いずれか記載の感光性組成物と、顔料とを含むカラーフィルタ用感光性組成物。
【請求項１１】
請求項１〜９いずれか記載の感光性組成物と、黒色顔料とを含むブラックマトリックス用感光性組成物。
【手続補正２】
【補正対象書類名】明細書
【補正対象項目名】００１０
【補正方法】変更
【補正の内容】
【００１０】
【特許文献１】特開平０６−２３０２１２号公報
【特許文献２】特開２００３−１６７１１５号公報
【特許文献３】特開平０４−３５２１０１号公報
【特許文献４】特開２００７−５７６５５号公報
【手続補正３】
【補正対象書類名】明細書
【補正対象項目名】００１３
【補正方法】変更
【補正の内容】
【００１３】
即ち、第１の発明は、カルボキシル基を有しない式量７０〜１２０のエチレン性不飽和モノマー（ａ）１０〜７５重量％、エポキシ基含有エチレン性不飽和モノマー（ｃ）２０〜８０重量％を含むエチレン性不飽和モノマー（Ｍ’）をラジカル重合してなる共重合体（Ｉ’）中のエポキシ基１モルに対し、
カルボキシル基含有エチレン性不飽和モノマー（ｂ）中のカルボキシル基を０．２〜１モル反応させて水酸基含有樹脂（ＩＩ’）を生成し、
得られた水酸基含有樹脂（ＩＩ’）中の水酸基１モルに対し、多塩基酸無水物（ｄ）中の酸無水物基を０．２〜１モル反応させてなる感光性樹脂を含有する感光性組成物に関する。
【手続補正４】
【補正対象書類名】明細書
【補正対象項目名】００１４
【補正方法】変更
【補正の内容】
【００１４】
また、第２の発明は、カルボキシル基を有しない式量７０〜１２０のエチレン性不飽和モノマー（ａ）１０〜９０重量％、カルボキシル基含有エチレン性不飽和モノマー（ｂ）１０〜７０重量％を含むエチレン性不飽和モノマー（Ｍ）をラジカル重合してなる共重合体（Ｉ）中のカルボキシル基１モルに対し、
エポキシ基含有エチレン性不飽和モノマー（ｃ）中のエポキシ基を０．２〜０．９モル反応させてなる感光性樹脂を含有する感光性組成物に関する。
【手続補正５】
【補正対象書類名】明細書
【補正対象項目名】００１５
【補正方法】変更
【補正の内容】
【００１５】
また、第３の発明は、カルボキシル基を有しない式量７０〜１２０のエチレン性不飽和モノマー（ａ）１０〜９０重量％、カルボキシル基含有エチレン性不飽和モノマー（ｂ）１０〜７０重量％を含むエチレン性不飽和モノマー（Ｍ）をラジカル重合してなる共重合体（Ｉ）中のカルボキシル基１モルに対し、
エポキシ基含有エチレン性不飽和モノマー（ｃ）中のエポキシ基を０．２〜１モル反応させて水酸基含有樹脂（ＩＩ）を生成し、
得られた水酸基含有樹脂（ＩＩ）中の水酸基１モルに対し、多塩基酸無水物（ｄ）中の酸無水物基を０．２〜１モル反応させてなる感光性樹脂を含有する感光性組成物に関する。
【手続補正６】
【補正対象書類名】明細書
【補正対象項目名】００２１
【補正方法】変更
【補正の内容】
【００２１】
また、第６の発明は、エチレン性不飽和モノマー（Ｍ）またはエチレン性不飽和モノマー（Ｍ’）が、下記一般式［２］で表されるモノマーを含む第１〜５いずれかの発明の感光性組成物に関する。
【手続補正７】
【補正対象書類名】明細書
【補正対象項目名】００３４
【補正方法】変更
【補正の内容】
【００３４】
三つ目の樹脂は、カルボキシル基を有しない式量７０〜１２０のエチレン性不飽和モノマー（ａ）１０〜７５重量％、エポキシ基含有エチレン性不飽和モノマー（ｃ）２０〜８０重量％を含むエチレン性不飽和モノマー（Ｍ’）をラジカル重合してなる共重合体（Ｉ’）中のエポキシ基１モルに対し、
カルボキシル基含有エチレン性不飽和モノマー（ｂ）中のカルボキシル基を０．２〜１モル反応させて水酸基含有樹脂（ＩＩ’）を生成し、
得られた水酸基含有樹脂（ＩＩ’）中の水酸基１モルに対し、多塩基酸無水物（ｄ）中の酸無水物基を０．２〜１モル反応させてなる感光性樹脂である。
【手続補正８】
【補正対象書類名】明細書
【補正対象項目名】００７７
【補正方法】変更
【補正の内容】
【００７７】
次に、３つ目の形態の感光性樹脂について説明する。３つ目の形態の感光性樹脂は、カルボキシル基を有しない式量７０〜１２０のエチレン性不飽和モノマー（ａ）１０〜７５重量％、エポキシ基含有エチレン性不飽和モノマー（ｃ）２０〜８０重量％を含むエチレン性不飽和モノマー（Ｍ’）をラジカル重合してなる共重合体（Ｉ’）中のエポキシ基１モルに対し、
カルボキシル基含有エチレン性不飽和モノマー（ｂ）中のカルボキシル基を０．２〜１モル反応させて水酸基含有樹脂（ＩＩ’）を生成し、
得られた水酸基含有樹脂（ＩＩ’）中の水酸基１モルに対し、多塩基酸無水物（ｄ）中の酸無水物基を０．２〜１モル反応させて得ることができる。
【手続補正９】
【補正対象書類名】明細書
【補正対象項目名】００７８
【補正方法】変更
【補正の内容】
【００７８】
共重合体（Ｉ’）は、カルボキシル基を有しない式量７０〜１２０のエチレン性不飽和モノマー（ａ）１０〜７５重量％、エポキシ基含有エチレン性不飽和モノマー（ｃ）２０〜８０重量％を必須成分として含むエチレン性不飽和モノマー（Ｍ’）をラジカル重合してなる共重合体である。
【手続補正１０】
【補正対象書類名】明細書
【補正対象項目名】００８１
【補正方法】変更
【補正の内容】
【００８１】
カルボキシル基を有しない式量７０〜１２０のエチレン性不飽和モノマー（ａ）の使用量としては、エチレン性不飽和モノマー（Ｍ’）１００重量％中に、１０〜７５重量％である必要がある。１０重量％未満だと、熱フロー現象が起こりにくくなる。
【手続補正１１】
【補正対象書類名】明細書
【補正対象項目名】００８６
【補正方法】変更
【補正の内容】
【００８６】
エポキシ基含有エチレン性不飽和モノマー（ｃ）の使用量としては、エチレン性不飽和モノマー（Ｍ’）１００重量％中に２０〜８０重量％である必要がある。好ましくは、３０〜８０重量％である。２０重量％未満だと、カルボキシル基の導入量が少なくなり、アルカリ現像性が低下する。